(57)【要約】  【課題】丁張材保持部材を設置すべき位置にある縁石に構築用丁張装置を配置する。【解決手段】線状の丁張材７１を保持する丁張材保持部材７０を地上に設置する設置脚手段が、丁張材保持部材７０を設置すべき位置にある縁石Ｇに設置される縁石用設置脚体１０であり、この縁石用設置脚体１０は、面部１１Ａと、この面部１１Ａの両側部を直角に屈曲して形成された屈曲部１１Ｂ、１１Ｃを有する断面コ字形状のチャンネル部材によりなるベース１１を備え、一方の屈曲部１１Ｂに、ベース１１を縁石Ｇに固着するベース固定機構１２を設けて構成してある。【選択図】  図１
2006291596.tif 000002
【特許請求の範囲】
【請求項１】
構築しようとする構造物の表面位置を規定するために設けられる線状の丁張材を保持する丁張材保持部材と、この丁張材保持部材を地上に設置する設置脚手段とを有する構築用丁張装置であって、
前記設置脚手段が、前記丁張材保持部材を設置すべき位置にある縁石に設置される縁石用設置脚体であり、この縁石用設置脚体に保持部材支持手段を介して前記丁張材保持部材を支持するようにしたことを特徴とする構築用丁張装置。
【請求項２】
前記縁石用設置脚体は、面部と、この面部の両側部を直角に屈曲して形成された屈曲部を有する断面コ字形状のチャンネル部材によりなるベースを備え、前記屈曲部の一方に、前記ベースを前記縁石に固着するベース固定機構を設けて構成してあることを特徴とする請求項１に記載の構築用丁張装置。
【請求項３】
前記保持部材支持手段は、前記縁石用設置脚体に設けられた軸受部材に回転可能に且つこの軸受部材の軸線方向に移動可能に設けられた回転支軸とこの回転支軸をロックする回転支軸ロック手段を有すると共に、前記回転支軸にアーム部材を介して当該回転支軸に平行する支持軸を固定した回転支軸機構と、前記支持軸に回転可能に設けられ且つ前記丁張材保持部材を支持する支持機構を備えたことを特徴とする請求項２に記載の構築用丁張装置。
【請求項４】
前記支持機構は、前記支持軸に回転可能に被嵌された基側支持部材と、この基側支持部材を前記支持軸にロックする基側支持部材ロック手段と、前記基側支持部材の側部に固着された支持用ボルトと、この支持用ボルトに回転可能に設けられ且つ前記丁張材保持部材を支持する先側支持部材と、この先側支持部材を所定角度にロックして前記丁張材保持部材の角度を調整する角度調整機構とで構成してあることを特徴とする請求項３に記載の構築用丁張装置。
【請求項５】
前記先側支持部材は、断面コ字形状のチャンネル部材を有していて、このチャンネル部材の一方の屈曲部にねじ孔部を設けて、このねじ孔部に把持用ボルトを螺装し、この把持用ボルトの端部にロックプレートを設けて、このロックプレートと前記チャンネル部材とで丁張材保持部材把持部を形成して構成してあり、前記角度調整機構は、前記一方の屈曲部に設けた孔部に前記支持用ボルトを挿入して前記他方の屈曲部に設けたねじ孔部に前記支持用ボルトを螺合し、この支持用ボルトの先側にロックナットを螺装して構成してあることを特徴とする請求項４に記載の構築用丁張装置。
【請求項６】
構築しようとする構造物の表面位置を規定するために設けられる線状の丁張材を保持する丁張材保持部材と、この丁張材保持部材を地上に設置する設置脚手段とを有する構築用丁張装置であって、
前記設置脚手段が、前記丁張材保持部材を設置すべき位置にある地盤もしくはコンクリート基礎にアンカーもしくは釘を用いて設置される設置脚体であり、この設置脚体に保持部材支持手段を介して前記丁張材保持部材を支持するようにしたことを特徴とする構築用丁張装置。
【請求項７】
前記設置脚体は、二本のアーム部材と、これらのアーム部材の基端部を開閉可能に支承するロック付きの支軸機構と、前記アーム部材の先端部にそれぞれ固着された中空円筒形状のアンカー保持部と、これらのアンカー保持部の下端部に、当該アンカー保持部の軸線に対して直角方向に突出し且つ釘孔を有する踏み板と、前記アンカー保持部に移動可能に保持されたアンカーと、前記アンカー保持部に設けられて前記アンカーを前記アンカー保持部にロックするアンカーロック手段とで構成されていることを特徴とする請求項６に記載の構築用丁張装置。
【請求項８】
前記保持部材支持手段は、前記設置脚体に設けられた軸受部材に回転可能に且つこの軸受部材の軸線方向に移動可能に設けられた回転支軸とこの回転支軸をロックする回転支軸ロック手段を有すると共に、前記回転支軸にアーム部材を介して当該回転支軸に平行する支持軸を固定した回転支軸機構と、前記支持軸に回転可能に設けられ且つ丁張材保持部材を支持する支持機構を備えたことを特徴とする請求項７に記載の構築用丁張装置。
【請求項９】
前記支持機構は、前記支持軸に回転可能に被嵌された基側支持部材と、この基側支持部材を前記支持軸にロックする基側支持部材ロック手段と、前記基側支持部材の側部に固着された支持用ボルトと、この支持用ボルトに回転可能に設けられ且つ前記丁張材保持部材を支持する先側支持部材と、この先側支持部材を所定角度にロックして前記丁張材保持部材の角度を調整する角度調整機構とで構成してあることを特徴とする請求項８に記載の構築用丁張装置。
【請求項１０】
先側支持部材は、断面コ字形状のチャンネル部材を有していて、このチャンネル部材の一方の屈曲部にねじ孔部を設けて、このねじ孔部に把持用ボルトを螺装し、この把持用ボルトの端部にロックプレートを設けて、このロックプレートと前記チャンネル部材とで丁張材保持部材把持部を形成して構成してあり、前記角度調整機構は、前記一方の屈曲部に設けた孔部に前記支持用ボルトを挿入して前記他方の屈曲部に設けたねじ孔部に前記支持用ボルトを螺合し、この角度調整用ボルトの先側にロックナットを螺装して構成してあることを特徴とする請求項９に記載の構築用丁張装置。
【発明の詳細な説明】
【技術分野】
【０００１】
本発明は、構造物の表面位置を規定する線状の丁張材を保持する構築用丁張装置に関する。
【背景技術】
【０００２】
一般に、ブロック積み、間知石積み、擁壁工事等においては、工事の正確な位置、高さ、角度を図るために、構築用丁張装置が用いられる。この構築用丁張装置としては、例えば、構造物としてコンクリートブロックを積み上げて構築するブロック壁の場合、先ず、図１５に示すように、構築しようとするブロック壁の表面位置に略沿う二つの箇所のそれぞれに、二本の水杭１を所定の間隔をおいて地面に打ち込み固定し、これらの水杭１に二枚の水抜き板２を上下方向に所定の間隔をおいて水平に釘で固定し、これらの上下の水抜き板２に縦板３を釘で固定する。そして、相対向する縦板３に正確な位置、高さ、角度を記して、線状の丁張材４を張る。なお、縦板３の固定箇所は、図１５では、水抜き板２のおける二本の水杭１の中間位置であるが、図１６に示すように二本の水杭１から離れた水抜き板２の端部に設定するようにしてもよい。
【０００３】
丁張材４としては、所謂水糸といわれる糸が用いられる。そして、この水糸によって構造物の表面位置を規定するようにし、この水糸にコンクリートブロックの表面を合わせて、コンクリートブロックを一段ずつ積み上げ、一段毎にコンクリートブロック間にコンクリートを打設してブロック壁を構築する。
【０００４】
なお、従来の構築用丁張装置としては、切土や盛土の法面が形成される地盤に立設された水杭と、当該水杭に架設される水平方向の水抜き板と、水杭及び水抜き板に傾斜して架設される法抜き板とを備え、法抜き板の傾斜角度によって、法面の設計勾配が示されると共に、法抜き板の先端部によって、法面の法肩や法尻の位置が示される丁張装置において、法抜き板の基端部と、法抜き板の基端部側に立設される水杭、又は、法抜き板の基端部側に配される水抜き板とに取り付けられた支持部材によって、法抜き板の基端部が回動可能に支持されると共に、法抜き板の先端部と、法抜き板の先端部側に立設される水杭、又は、法抜き板の先端部側に配される水抜き板とに取り付けられた固定部材によって、法抜き板の先端部が法面の設計勾配に合わせて固定されてなるものがある（特許文献１参照）。
【特許文献１】特開２００４−２３８８０４号公報
【発明の開示】
【発明が解決しようとする課題】
【０００５】
上記した従来の前者及び後者の構築用丁張装置にあっては、水杭１が打ち込み固定される場所が、縁石である場合、又は硬過ぎる地盤や境界線下方のコンクリート基礎である場合には、水杭１の打ち込み固定が困難かもしくは不可能であって、構築用丁張装置自体の設置が困難かもしくは不可能になるし、また、水杭１の打ち込み固定と同様な効果を生じさせるためには多くの部材と長い作業時間を有するという問題点があった。
【０００６】
また、例えば、道路に面した側にブロック壁を構築する場合には、道路に面した側に互いに離間させて少なくとも二つの構築用丁張装置をセットし、道路に対して垂直な方向にブロック壁を構築する場合には、道路に対して垂直な方向に互いに離間させて少なくとも二つの構築用丁張装置をセットしなければならず、道路に面した側と道路に対して垂直な方向とか成すコーナーにおいては、二つの構築用丁張装置を直角に配置しなければならないという問題点があった。
【０００７】
本発明は上記した問題点を解決するものであり、その第１の目的とするところは、丁張材保持部材を設置すべき位置にある縁石に配置することができて、従来の構築用丁張装置の縁石への設置に要する多くの部材が省略できるし、また、短い作業時間で縁石に設置することができる構築用丁張装置を提供することである。
【０００８】
また、本発明の第２の目的とするところは、丁張材保持部材を設置すべき位置にある地盤もしくはコンクリート基礎に配置することができて、従来の構築用丁張装置の地盤もしくはコンクリート基礎への設置に要する多くの部材が省略できるし、また、短い作業時間で設置することができる構築用丁張装置を提供することである。
【課題を解決するための手段】
【０００９】
上記の第１の目的を達成するために、本発明に係る構築用丁張装置は、構築しようとする構造物の表面位置を規定するために設けられる線状の丁張材を保持する丁張材保持部材と、この丁張材保持部材を地上に設置する設置脚手段とを有する構築用丁張装置であって、設置脚手段が、丁張材保持部材を設置すべき位置にある縁石に設置される縁石用設置脚体であり、この縁石用設置脚体に保持部材支持手段を介して丁張材保持部材を支持するようにしたことを特徴とする。
【００１０】
かかる構成により、丁張材保持部材を配置すべき位置にある縁石に縁石用設置脚体を容易に設置することで、この縁石上に丁張材保持部材を配置することができる。このために、従来の構築用丁張装置の縁石への設置に要する多くの部材が省略できるし、また、短い作業時間で構築用丁張装置を設置することができる。
【００１１】
しかも、道路に面した側に、例えば、ブロック壁を構築する場合には、道路に面した側に互いに離間させて少なくとも二つの構築用丁張装置をセットし、道路に対して垂直な方向に、例えば、ブロック壁を構築する場合には、道路に対して垂直な方向に別の構築用丁張装置をセットすればよく、道路に面した側と道路に対して垂直な方向とか成すコーナーにおいては、一つの構築用丁張装置の設置で足りるようになる。
【００１２】
また、本発明に係る構築用丁張装置は、上記した本発明に係る構築用丁張装置において、縁石用設置脚体は、面部と、この面部の両側部を直角に屈曲して形成された屈曲部を有する断面コ字形状のチャンネル部材によりなるベースを備え、屈曲部の一方に、ベースを縁石に固着するベース固定機構を設けて構成してあることを特徴とする。
【００１３】
かかる構成により、構築用丁張装置の縁石への設置は、ベースを縁石に被せて、このベースをベース固定機構で縁石に固着することで行なわれるために、構築用丁張装置の縁石への設置を容易に且つ短時間で行なうことができる。
【００１４】
また、本発明に係る構築用丁張装置は、上記した本発明に係る構築用丁張装置において、保持部材支持手段は、縁石用設置脚体に設けられた軸受部材に回転可能に且つ軸受部材の軸線方向に移動可能に設けられた回転支軸とこの回転支軸をロックする回転支軸ロック手段を有すると共に、この回転支軸にアーム部材を介して当該回転支軸に平行する支持軸を固定した回転支軸機構と、支持軸に回転可能に設けられ且つ丁張材保持部材を支持する支持機構を備えたことを特徴とする。
【００１５】
かかる構成により、支持機構を一方向（例えば、左方向）に移動させることで、支持軸をアーム部材を介して回転支軸を支点にして一方向（例えば、左方向）に移動させ、回転支軸ロック手段により回転支軸をロックし、丁張材保持部材を支持機構で支持することで、丁張材保持部材を回転支軸の一側方（例えば、左側方）に位置させることができ、また、支持機構を他方向（例えば、右方向）に移動させることで、支持軸をアーム部材を介して回転支軸を支点にして他方向（例えば、右方向）に移動させ、回転支軸ロック手段で回転支軸をロックし、丁張材保持部材を支持機構で支持することで丁張材保持部材を回転支軸の他側方（例えば、右側方）に位置させることができる。更に、軸受部材に対して回転支軸を軸線方向（例えば、前後方向）に移動させ、この位置に回転支軸ロック手段で回転支軸をロックすることで、丁張材保持部材を軸線方向に移動させることができる。
【００１６】
このように、丁張材保持部材の位置調整を行なうことができるために、丁張材保持部材を構造物、例えば、ブロック壁に合わせて容易に位置させることができ、そのため、設置作業を極めて簡単に行なうことができ、作業効率を大幅に向上させることができる。また、現場の環境等に対応して、丁張材保持部材の位置を調整することができ、周囲の邪魔になる事態を防止できる。
【００１７】
また、本発明に係る構築用丁張装置は、上記した本発明に係る構築用丁張装置において、支持機構は、支持軸に回転可能に被嵌された基側支持部材と、この基側支持部材を支持軸にロックする基側支持部材ロック手段と、基側支持部材の側部に固着された支持用ボルトと、この支持用ボルトに回転可能に設けられ且つ丁張材保持部材を支持する先側支持部材と、この先側支持部材を所定角度にロックして丁張材保持部材の角度を調整する角度調整機構とで構成してあることを特徴とする。
【００１８】
かかる構成により、丁張材保持部材を支持した先側支持部材は支持用ボルトを中心にして、例えば、前後方向に回動できて、丁張材保持部材を、例えば、前後方向に所定量回動させて角度調整を行うことができる。
【００１９】
また、本発明に係る構築用丁張装置は、上記した本発明に係る構築用丁張装置において、先側支持部材は、断面コ字形状のチャンネル部材を有していて、このチャンネル部材の一方の屈曲部にねじ孔部を設けて、このねじ孔部に把持用ボルトを螺装し、この把持用ボルトの端部にロックプレートを設けて、このロックプレートとチャンネル部材とで丁張材保持部材把持部を形成して構成してあり、角度調整機構は、一方の屈曲部に設けた孔部に支持用ボルトを挿入して他方の屈曲部に設けたねじ孔部に支持用ボルトを螺合し、この支持用ボルトの先側にロックナットを螺装して構成してあることを特徴とする。
【００２０】
かかる構成により、丁張材保持部材の下端部を丁張材保持部材把持部に挿入して、把持用ボルトを丁張材保持部材側に螺進させて、ロックプレートを丁張材保持部材の面部に押し付け、屈曲部とロックプレートとで丁張材保持部材を左右から挟んで固定することができる。
【００２１】
また、ロックナットを弛めて先側支持部材及び丁張材保持部材が支持用ボルトを中心にして、例えば、前後方向に回動できるようにして、丁張材保持部材を、例えば、前後方向に所定量回動させて角度調整を行い、ロックナットを締付けて調整角度位置に先側支持部材を固定して丁張材保持部材の角度調整を行なうことができる。
【００２２】
また、上記の第２の目的を達成するために、本発明に係る構築用丁張装置は、構築しようとする構造物の表面位置を規定するために設けられる線状の丁張材を保持する丁張材保持部材と、この丁張材保持部材を地上に設置する設置脚手段とを有する構築用丁張装置であって、設置脚手段が、丁張材保持部材を設置すべき位置にある地盤もしくはコンクリート基礎にアンカーもしくは釘を用いて設置される設置脚体であり、この設置脚体に保持部材支持手段を介して丁張材保持部材を支持するようにしたことを特徴とする。
【００２３】
かかる構成により、丁張材保持部材を配置すべき位置にある地盤（硬過ぎる地盤）もしくはコンクリート基礎に設置脚体を容易に設置することで、地盤もしくはコンクリート基礎上に丁張材保持部材を配置することができる。このために、従来の構築用丁張装置の地盤もしくはコンクリート基礎上の設置に要する多くの部材が省略できるし、また、短い作業時間で構築用丁張装置を配置することができる。
【００２４】
しかも、道路に面した側に、例えば、ブロック壁を構築する場合には、道路に面した側に互いに離間させて少なくとも二つの構築用丁張装置をセットし、道路に対して垂直な方向に、例えば、ブロック壁を構築する場合には、道路に対して垂直な方向に別の構築用丁張装置をセットすればよく、道路に面した側と道路に対して垂直な方向とか成すコーナーにおいては、一つの構築用丁張装置の設置で足りることになる。
【００２５】
また、本発明に係る構築用丁張装置は、上記した本発明に係る構築用丁張装置において、設置脚体は、二本のアーム部材と、これらのアーム部材の基端部を開閉可能に支承するロック付きの支軸機構と、アーム部材の先端部にそれぞれ固着された中空円筒形状のアンカー保持部と、これらのアンカー保持部の下端部に、当該アンカー保持部の軸線に対して直角方向に突出し且つ釘孔を有する踏み板と、アンカー保持部に移動可能に保持されたアンカーと、アンカー保持部に設けられてアンカーをアンカー保持部にロックするアンカーロック手段とで構成されていることを特徴とする。
【００２６】
かかる構成により、設置脚体において、二本のアーム部材を略直角に開いた状態で踏み板を接地する。そして、アンカーを地中に打ち込み設置脚体を地盤に固定する。また、設置脚体をコンクリート基礎に固定する場合には、踏み板の釘孔に挿入した釘をコンクリート基礎に打ち込み固定する。そして、アンカーロック手段でアンカーをアンカー保持部にロックして、支軸機構におけるロックで二本のアーム部材を固定状態にする。
【００２７】
このように、構築用丁張装置の地盤もしくはコンクリート基礎への設置が行なわれるために、構築用丁張装置の地盤もしくはコンクリート基礎への設置を容易に且つ短時間で行なうことができる。
【００２８】
また、本発明に係る構築用丁張装置は、上記した本発明に係る構築用丁張装置において、保持部材支持手段は、縁石用設置脚体に設けられた軸受部材に回転可能に且つ軸受部材の軸線方向に移動可能に設けられた回転支軸とこの回転支軸をロックする回転支軸ロック手段を有すると共に、回転支軸にアーム部材を介して当該回転支軸に平行する支持軸を固定した回転支軸機構と、支持軸に回転可能に設けられ且つ丁張材保持部材を支持する支持機構を備えたことを特徴とする。
【００２９】
かかる構成により、支持機構を一方向（例えば、左方向）に移動させることで、支持軸をアーム部材を介して回転支軸を支点にして一方向（例えば、左方向）に移動させ、回転支軸ロック手段により回転支軸をロックし、丁張材保持部材を支持機構で支持することで、丁張材保持部材を回転支軸の一側方（例えば、左側方）に位置させることができ、また、支持機構を他方向（例えば、右方向）に移動させることで、支持軸をアーム部材を介して回転支軸を支点にして他方向（例えば、右方向）に移動させ、回転支軸ロック手段で回転支軸をロックし、丁張材保持部材を支持機構で支持することで丁張材保持部材を回転支軸の他側方（例えば、右側方）に位置させることができる。更に、軸受部材に対して回転支軸を軸線方向（例えば、前後方向）に移動させ、この位置に回転支軸ロック手段で回転支軸をロックすることで、丁張材保持部材を軸線方向に移動させることができる。
【００３０】
このように、丁張材保持部材の位置調整を行なうことができるために、丁張材保持部材を構造物、例えば、ブロック壁に合わせて容易に位置させることができ、そのため、設置作業を極めて簡単に行なうことができ、作業効率を大幅に向上させることができる。また、現場の環境等に対応して、丁張材保持部材の位置を調整することができ、周囲の邪魔になる事態を防止できる。
【００３１】
また、本発明に係る構築用丁張装置は、上記した本発明に係る構築用丁張装置において、支持機構は、支持軸に回転可能に被嵌された基側支持部材と、この基側支持部材を支持軸にロックする基側支持部材ロック手段と、基側支持部材の側部に固着された支持用ボルトと、この支持用ボルトに回転可能に設けられ且つ丁張材保持部材を支持する先側支持部材と、この先側支持部材を所定角度にロックして丁張材保持部材の角度を調整する角度調整機構とで構成してあることを特徴とする。
【００３２】
かかる構成により、丁張材保持部材を支持した先側支持部材は支持用ボルトを中心にして、例えば、前後方向に回動できて、丁張材保持部材を、例えば、前後方向に所定量回動させて角度調整を行うことができる。
【００３３】
また、本発明に係る構築用丁張装置は、上記した本発明に係る構築用丁張装置において、先側支持部材は、断面コ字形状のチャンネル部材を有していて、このチャンネル部材の一方の屈曲部にねじ孔部を設けて、このねじ孔部に把持用ボルトを螺装し、この把持用ボルトの端部にロックプレートを設けて、このロックプレートとチャンネル部材とで丁張材保持部材把持部を形成して構成してあり、角度調整機構は、一方の屈曲部に設けた孔部に支持用ボルトを挿入して他方の屈曲部に設けたねじ孔部に支持用ボルトを螺合し、この支持用ボルトの先側にロックナットを螺装して構成してあることを特徴とする。
【００３４】
かかる構成により、丁張材保持部材の下端部を丁張材保持部材把持部に挿入して、把持用ボルトを丁張材保持部材側に螺進させて、ロックプレートを丁張材保持部材の面部に押し付け、屈曲部とロックプレートとで丁張材保持部材を左右から挟んで固定することができる。
【００３５】
また、ロックナットを弛めて先側支持部材及び丁張材保持部材が支持用ボルトを中心にして、例えば、前後方向に回動できるようにして、丁張材保持部材を、例えば、前後方向に所定量回動させて角度調整を行い、ロックナットを締付けて調整角度位置に先側支持部材を固定して丁張材保持部材の角度調整を行なうことができる。
【発明の効果】
【００３６】
本発明に係る構築用丁張装置によれば、丁張材保持部材を設置すべき位置にある縁石に縁石用設置脚体を設置することで、この上に丁張材保持部材を設置することができる。このために、従来の構築用丁張装置の縁石への設置に要する多くの部材が省略できるし、また、短い作業時間で構築用丁張装置を縁石に設置することができる。
【００３７】
また、本発明に係る構築用丁張装置によれば、丁張材保持部材を設置すべき位置にある地盤もしくはコンクリート基礎に設置脚体を設置することで、地盤もしくはコンクリート基礎上に丁張材保持部材を設置することができる。このために、従来の構築用丁張装置の地盤もしくはコンクリート基礎への設置に要する多くの部材が省略できるし、また、短い作業時間で構築用丁張装置を地盤もしくはコンクリート基礎に設置することができる。
【００３８】
また、本発明に係る構築用丁張装置によれば、道路に面した側にブロック壁を構築する場合には、道路に面した側に互いに離間させて少なくとも二つの構築用丁張装置をセットし、道路に対して垂直な方向にブロック壁を構築する場合には、道路に対して垂直な方向に別の構築用丁張装置をセットすればよく、道路に面した側と道路に対して垂直な方向とか成すコーナーにおいては、一つの構築用丁張装置の設置で足りるようになる。
【発明を実施するための最良の形態】
【００３９】
以下、添付図面に基づいて、本発明の実施の形態に係る構築用丁張装置について詳細に説明する。
【００４０】
（実施の形態１）
本発明の実施の形態１に係る構築用丁張装置を図１乃至図８に示す。図１は本発明の実施の形態１に係る構築用丁張装置の前面図、図２は同構築用丁張装置の平面図、図３は同構築用丁張装置の側面図である。なお、説明の便宜上、前後方向、左右方向及び上下方向を図に示すように設定する。
【００４１】
本発明の実施の形態１に係る構築用丁張装置Ｔは、道路側等の縁石に沿ってコンクリートブロックを積み上げて構築される構造物であるブロック壁の場合に適用されるものであって、この構造物の表面位置を規定するために設けられる線状の丁張材７１を保持するものである。丁張材７１としては、水糸のような線状の部材が用いられる。
【００４２】
本発明の実施の形態１に係る構築用丁張装置Ｔは、設置脚手段としての縁石用設置脚体１０と、この縁石用設置脚体１０に設けられた保持部材支持手段と、この保持部材支持手段により支持される垂木のような丁張材保持部材７０を備えており、保持部材支持手段は、回転支軸機構２０とこの回転支軸機構２０に回動可能に保持された支持機構３０とで構成してある。
【００４３】
縁石用設置脚体１０はベース１１を備えており、このベース１１は、面部１１Ａと、この面部１１Ａの両側部を直角に屈曲して形成された屈曲部１１Ｂ、１１Ｃを有する断面コ字形状のチャンネル部材により構成してある。そして、ベース１１の屈曲部１１Ｂにはベース固定機構１２が設けてある。このベース固定機構１２は、図３に示すように、屈曲部１１Ｂの中央に貫通孔部１３を設けると共に、屈曲部１１Ｂの外面部に貫通孔部１３に重ねて雌ねじ部材であるナット部材１４を固着し、ナット部材１４に固定用ボルト１５を螺装して構成してある。
【００４４】
回転支軸機構２０は、図１乃至図３に示すように、べ−ス１１の面部１１Ａに固着された中空円筒形状の軸受部材２１を有しており、この軸受部材２１は、その軸線を面部１１Ａの前後方向に沿わせてある。そして、この軸受部材２１には回転支軸２２が回転可能に且つ前後方向に移動可能に支承してある。この回転支軸２２の後端部にはアーム部材２３の下端部が固着してあり、このアーム部材２３の上端部には支持軸２４の一端部が固着してあり、この支持軸２４は回転支軸２２に平行している。
【００４５】
また、軸受部材２１には、その上部に位置させて回転支軸ロック手段である回転支軸ロック機構２５が設けてある。この回転支軸ロック機構２５は、図１に示すように、軸受部材２１に貫通孔部２６を設けると共に、軸受部材２１に貫通孔部２６に重ねてナット部材２７を固着し、ナット部材２７にはロック用ボルト２８を螺装して構成してある。
【００４６】
支持機構３０は、図１乃至図３に示すように、支持軸２４に回転可能に被嵌された円筒形状の基側支持部材３１を有しており、この基側支持部材３１には、その上部に位置させて基側支持部材ロック手段である基側支持部材ロック機構３２が設けてある。この基側支持部材ロック機構３２は、図１に示すように、基側支持部材３１に貫通孔部３３を設けると共に、基側支持部材３１に貫通孔部３３に重ねてナット部材３４を固着し、ナット部材３４にロック用ボルト３５を螺装して構成してある。また、基側支持部材３１には、支持部材ロック機構３２の貫通孔部３３に対して９０°位相をずらせた位置に、先側支持部材３７の取付け部材を兼ねる支持用ボルト３６が固着してある。
【００４７】
先側支持部材３７は、図２に示すように、端面部３８Ａと、この端面部３８Ａの左、右側部を直角に屈曲して形成された屈曲部３８Ｂ、３８Ｃを有する断面コ字形状のチャンネル部材３８を有しており、屈曲部３８Ｂにはねじ孔部３９Ｂが、屈曲部３８Ｃには孔部３９Ｃがそれぞれ設けてある。
【００４８】
また、チャンネル部材３８には丁張材保持部材把持機構４０が設けてある。この丁張材保持部材把持機構４０は、図２に示すように、屈曲部３８Ｃの後側部にねじ孔部４１を設け、このねじ孔部４１に把持用ボルト４２を螺装し、この把持用ボルト４２の先端部にロックプレート４３を固着して、このロックプレート４３とチャンネル部材３８の屈曲部３８Ｂとで丁張材保持部材把持部Ｐを構成している。また、ロックプレート４３には孔部３９Ｃに対向する貫通孔部４４が設けてある。
【００４９】
そして、図２に示すように、先側支持部材３７は、その孔部３９Ｃに支持用ボルト３６を挿通させ、この支持用ボルト３６をねじ孔部３９Ｂに螺合し、この支持用ボルト３６の先端部にロックナット４５を螺合することで、支持用ボルト３７を介して基側支持部材３１に固着してある。この場合、支持用ボルト３６はロックプレート４３の貫通孔部４４を貫通している。また、支持用ボルト３６と先側支持部材３７のねじ孔部３９Ｂとロックナット４５とで角度調整機構が構成される。
【００５０】
次に、上記のように構成した構築用丁張装置Ｔを用いて、丁張を行なうときは、以下のようにして行なう。今、図８に示すように、道路Ｆ側等の縁石Ｇに沿ってコンクリートブロック（図示せず）を積み上げて構築されるブロック壁（図示せず）等の場合について説明する。
【００５１】
構築用丁張装置Ｔの縁石Ｇへのセットは、図４及び図６に示すように、ベース１１を縁石Ｇに被せて、このベース１１の屈曲部１１Ｂと縁石Ｇの道路側面部Ｇ−１との間に当て板部材Ｈを介在させ（図６参照）、固定用ボルト１５を当て部材Ｈ側に螺進させて、この固定用ボルト１５で当て板部材Ｈを縁石Ｇの道路側面部に押し付け、この当て板部材Ｈとベース１１の屈曲部１１Ｃとで縁石Ｇを前後から挟んで固定することで行なわれる。
【００５２】
丁張材保持部材７０を回転支軸２２の軸線に対して右方に位置調整する場合には、まず、回転支軸ロック機構２５のロック用ボルト２８を弛めて、回転支軸２２を軸受部材２１に対して回転可能に且つ前後方向に移動可能にすると共に、基側支持部材ロック機構３２のロック用ボルト３５を弛めて、基側支持部材３１を支持軸２４に対して回転可能にする。
【００５３】
そして、先側支持部材３７を右方に押すことで、基側支持部材３１を支持軸２４に対して回転させ、支持軸２４を回転支軸２２を中心にして右方に回動させて、図４に示すように、先側支持部材３７を右方に移動し、この状態で、ロック用ボルト２８を締めて、回転支軸２２を軸受部材２１に対してロックすると共に、ロック用ボルト３５を締めて、基側支持部材３１を支持軸２４に対してロックして先側支持部材３７を回転支軸２２の軸線に対して右方に位置させる。
【００５４】
次に、図１に示すように、丁張材保持部材７０の下端部を丁張材保持部材把持部Ｐに挿入して、把持用ボルト４２を丁張材保持部材７０側に螺進させて、ロックプレート４３を丁張材保持部材７０の面部に押し付け、屈曲部３８Ｂとロックプレート４３とで丁張材保持部材７０を左右から挟んで固定する。
【００５５】
また、丁張材保持部材７０を角度調整する場合には、図１に示すように、ロックナット４５を弛めて先側支持部材３７及び丁張材保持部材７０が支持用ボルト３６を中心にして前後方向に回動できるようにする。そして、丁張材保持部材７０を前後方向に所定量回動させて角度調整を行い、ロックナット４５を締付けて調整角度位置に先側支持部材３７を固定して丁張材保持部材７０の角度調整を完了する。
【００５６】
また、丁張材保持部材７０を回転支軸２２の軸線に対して左方に位置調整する場合には、まず、回転支軸ロック機構２５のロック用ボルト２８を弛めて、回転支軸２２を軸受部材２１に対して回転可能に且つ前後方向に移動可能にすると共に、基側支持部材ロック機構３２のロック用ボルト３５を弛めて、基側支持部材３１を支持軸２４に対して回転可能にする。
【００５７】
そして、先側支持部材３７を左方に押すことで、基側支持部材３１を支持軸２４に対して回転させ、支持軸２４を回転支軸２２を中心にして左方に回動させて、図５に示すように、先側支持部材３７を左方に反転移動し、この状態で、ロック用ボルト２８を締めて、回転支軸２２を軸受部材２１に対してロックすると共に、ロック用ボルト３５を締めて、基側支持部材３１を支持軸２４に対してロックして先側支持部材３７を回転支軸２２の軸線に対して左方に反転した状態で位置させる。
【００５８】
次に、図１に示すように、丁張材保持部材７０の下端部を丁張材保持部材把持部Ｐに挿入して、把持用ボルト４２を丁張材保持部材７０側に螺進させて、ロックプレート４３を丁張材保持部材７０の面部に押し付け、屈曲部３８Ｂとロックプレート４３とで丁張材保持部材７０を左右から挟んで固定する。
【００５９】
また、丁張材保持部材７０を角度調整する場合には、図１に示すように、ロックナット４５を弛めて先側支持部材３７及び丁張材保持部材７０が支持用ボルト３６を中心にして前後方向に回動できるようにする。そして、丁張材保持部材７０を前後方向に所定量回動させて角度調整を行い、ロックナット４５を締付けて調整角度位置に先側支持部材３７を固定して丁張材保持部材７０の角度調整を完了する。
【００６０】
また、丁張材保持部材７０を前方に位置調整する場合には、まず、回転支軸ロック機構２５のロック用ボルト２８を弛めて、回転支軸２２を軸受部材２１に対して前後方向に移動可能にすると共に、基側支持部材ロック機構３２のロック用ボルト３５を弛めて、基側支持部材３１を支持軸２４に対して前後方向に移動可能にする。
【００６１】
この状態で、図６に示すように、支持機構３０及び丁張材保持部材７０を矢印イのように前方向に所定量移動させてロック用ボルト２８を締めて、回転支軸２２を軸受部材２１に対してロックにすると共に、ロック用ボルト３５を締めて、基側支持部材３１を支持軸２４に対してロックして丁張材保持部材７０を前方に位置調整する。
【００６２】
同様に、丁張材保持部材７０を後方に位置調整する場合には、図７に示すように、支持機構３０及び丁張材保持部材７０を矢印ロのように後方向に所定量移動させて、回転支軸ロック機構２５のロック用ボルト２８を締めて、回転支軸２２を軸受部材２１に対してロックにすると共に、基側支持部材ロック機構３２のロック用ボルト３５を締めて、基側支持部材３１を支持軸２４に対してロックして丁張材保持部材７０を後方に位置調整する。
【００６３】
上記したように、構築用丁張装置Ｔにおいて、丁張材保持部材７０の角度調整、左右方向の位置調整及び前後方向の位置調整を実施することで、図８に示すように、この丁張材保持部材７０の後端面部７０ａを縁石Ｇと敷地Ｊとの境界線Ｓ上に位置させ、丁張材保持部材７０の右側面部７０ｂを既設塀Ｋの端面Ｋ−１と敷地Ｊとの境界線Ｕ上に位置させる。
【００６４】
また、縁石Ｇ上の別の箇所に、上記した構築用丁張装置Ｔと離間させて他の構築用丁張装置（図示せず）を設置し、更に、構築用丁張装置Ｔの後方（道路Ｆに対して垂直方向）に他の別の構築用丁張装置（図示せず）を設置し、構築用丁張装置Ｔの丁張材保持部材７０の後端面部７０ａと他の構築用丁張装置の丁張材保持部材の後端面部に丁張材７１を架設し、また、構築用丁張装置Ｔの丁張材保持部材７０の右側面部７０ｂと他の別の構築用丁張装置の丁張材保持部材の右側面部に丁張材７１を架設する。
【００６５】
次に、丁張材７１にコンクリートブロック（図示せず）の表面を合わせて、コンクリートブロックを一段ずつ積み上げ、一段毎にコンクリートブロック間にコンクリートを打設することでブロック壁を構築する。
【００６６】
上記した本発明に実施の形態１によれば、構築用丁張装置Ｔの縁石Ｇへの設置は、ベース１１を縁石Ｇに被せて、このベース１１をベース固定機構１２で縁石Ｇに固着することで行なわれるために、この縁石Ｇ上に丁張材保持部材７０を容易に配置することができる。このために、従来の構築用丁張装置の縁石Ｇへの設置に要する多くの部材が省略できるし、また、短い作業時間で構築用丁張装置Ｔを縁石Ｇに設置することができる。
【００６７】
また、丁張材保持部材７０の位置調整を行なうことができるために、道路Ｊに面した側と、道路Ｊに対して垂直な方向にそれぞれブロック壁を構築する場合、道路Ｊに面した側と道路Ｊに対して垂直な方向とか成すコーナーに、一つの構築用丁張装置Ｔを設置することで、それぞれのブロック壁の表面に沿う丁張材７１を張ることが可能になる。
【００６８】
また、本発明に実施の形態１によれば、丁張材保持部材７０を回転支軸２２の軸線に対して左、右方に位置調整することができ、丁張材保持部材７０を前、後方に位置調整することができるばかりか、丁張材保持部材７０を前後方向に所定量回動させて角度調整を行うことができる。
【００６９】
このために、丁張材保持部材７０を構造物に合わせて容易に位置させることができ、そのため、設置作業を極めて簡単に行なうことができ、作業効率を大幅に向上させることができる。また、現場の環境等に対応して、丁張材保持部材の位置を調整することができ、周囲の邪魔になる事態を防止できる。
【００７０】
（実施の形態２）
本発明の実施の形態２に係る構築用丁張装置Ｔ−１を図９乃至図１４に示す。この構築用丁張装置Ｔ−１は、道路側等の縁石Ｇに沿ってコンクリートブロックを積み上げて構築されるブロック壁の場合に適用されるものであるが、構築用丁張装置Ｔ−１の設置位置を縁石Ｇ上ではなく、敷地Ｊ内の地盤（硬過ぎる地盤）もしくはコンクリート基礎にする場合に適用される。
【００７１】
本発明の実施の形態２に係る構築用丁張装置Ｔ−１は、上記した本発明の実施の形態１に係る構築用丁張装置Ｔと異なるところは、その設置脚手段の構成であり、他の構成は、本発明の実施の形態１に係る構築用丁張装置Ｔと同様であるために、設置脚手段の構成を説明し、他の構成は、同じ符号を付して説明を省略する。
【００７２】
本発明の実施の形態２に係る構築用丁張装置Ｔ−１における設置脚手段はアンカーもしくは釘使用の設置脚体１０−１であり、設置脚体１０−１には、図９乃至図１１に示すように、軸受部材２１を固着したベースプレート５０を備えており、このベースプレート５０の後部には、二本のアーム部材５１、５２の基端部がロック付きの支軸機構５３により左右方向に回動可能に取付けてある。
【００７３】
この支軸機構５３は、図１０に示すように、二本のアーム部材５１、５２の基端部に設けたボルト孔５１Ａ、５２Ａに支軸を兼ねたボルト５４を挿入して、このボルト５４の先部にロックナット５５を螺合して構成してある。
【００７４】
また、アーム部材５１、５２の先端部には、中空円筒形状のアンカー保持部５６がそれぞれ固着してあり、これらのアンカー保持部５６の下端部には、当該アンカー保持部５６の軸線に対して直角方向に突出する踏み板５７が固着してあり、これらの踏み板５７には釘孔５７Ａが設けてある。
【００７５】
アンカー保持部５６は、丸棒からなるアンカー５８を上下動可能に保持していて、このアンカー５８はアンカーロック手段であるアンカーロック機構５９によりアンカー保持部５６にロックされている。このアンカーロック機構５９は、図９に示すように、アンカー保持部５６に孔部６０を設け、アンカー保持部５６に孔部６０に重ねてナット部材６１を固着し、このナット部材６１にロック用ボルト６２を螺装して構成してある。
【００７６】
次に、上記のように構成した構築用丁張装置Ｔ−１を用いた丁張は、道路Ｆ側等の縁石Ｇに沿ってコンクリートブロックを積み上げて構築されるブロック壁の場合等に行われるのであるが、構築用丁張装置Ｔ−１は、図１２に示すように、縁石Ｇではなく敷地Ｊ内の地盤に設置される。
【００７７】
すなわち、設置脚体１０−１において、二本のアーム部材５１、５２を略直角に開いた状態で踏み板５７を接地する。そして、アンカー５８を地中に打ち込み設置脚体１０−１を地盤に固定する。そして、アンカーロック機構５９のロック用ボルト６２を締めてアンカー５８をアンカー保持部５６にロックする。そして、支軸機構５３におけるナット５５を締付けて二本のアーム部材５１、５２の基端部をベースプレート５０に固定する。
【００７８】
なお、アンカー５８を用いることなく、設置脚体１０−１を敷地Ｊ内のコンクリート基礎に固定する場合には、踏み板５７の釘孔５７Ａに挿入した釘（図示せず）をコンクリート基礎に打ち込み固定する。
【００７９】
そして、丁張材保持部材７０の下端部を先側支持部材３７に固定するのであるが、この固定は、上記した本発明の実施の形態１に係る構築用丁張装置Ｔの場合と同様にして行なわれる。また、丁張材保持部材７０の角度調整は、上記した本発明の実施の形態１に係る構築用丁張装置Ｔの場合と同様にして行なわれる。
【００８０】
また、丁張材保持部材７０の左方向の位置調整は、図１２に示すように、また、丁張材保持部材７０の右方向の位置調整は、図１３に示すようにそれぞれ上記した本発明の実施の形態１に係る構築用丁張装置Ｔの場合と同様にして行なわれる。なお、丁張材保持部材７０の前後方の位置調整は、上記した本発明の実施の形態１に係る構築用丁張装置Ｔの場合と同様にして行なわれる。
【００８１】
上記したように、構築用丁張装置Ｔ−１において、丁張材保持部材７０の角度調整、左右方向の位置調整及び前後方向の位置調整を実施することで、図１４に示すように、この丁張材保持部材７０の前端面部７０ｃを縁石Ｇと敷地Ｊとの境界線Ｓ上に位置させ、また、丁張材保持部材７０の右側面部７０ｂを既設塀Ｋの端面Ｋ−１と敷地Ｊとの境界線Ｕ上に位置させる。
【００８２】
また、別の箇所に、上記した構築用丁張装置Ｔ−１と離間させて他の構築用丁張装置（図示せず）を設置し、更に、構築用丁張装置Ｔ−１の後方に他の別の構築用丁張装置（図示せず）を設置し、構築用丁張装置Ｔ−１の丁張材保持部材７０の前端面部７０ｃと他の構築用丁張装置の丁張材保持部材の前端面部に丁張材７１を架設し、また、構築用丁張装置Ｔ−１の丁張材保持部材７０の右側面部７０ｂと他の別の構築用丁張装置の丁張材保持部材の右側面部に丁張材７１を架設する。
【００８３】
次に、丁張材７１にコンクリートブロック（図示せず）の表面を合わせて、コンクリートブロックを一段ずつ積み上げ、一段毎にコンクリートブロック間にコンクリートを打設することでブロック壁を構築する。
【００８４】
上記した本発明に実施の形態２によれば、丁張材保持部材７０を設置すべき位置にある地盤もしくはコンクリート基礎に設置脚体１０−１を設置することで、地盤もしくはコンクリート基礎上に丁張材保持部材７０を配置することができる。このために、従来の構築用丁張装置の地盤もしくはコンクリート基礎への設置に要する多くの部材が省略できるし、また、短い作業時間で構築用丁張装置Ｔ−１を設置することができる。
【００８５】
しかも、道路Ｆに面した側にブロック壁を構築する場合には、道路Ｆに面した側に互いに離間させて少なくとも二つの構築用丁張装置Ｔ−１を設置し、道路Ｆに対して垂直な方向にブロック壁を構築する場合には、道路Ｆに対して垂直な方向に別の構築用丁張装置をセットすればよく、道路Ｆに面した側と道路Ｆに対して垂直な方向とか成すコーナーにおいては、一つの構築用丁張装置Ｔ−１の設置で足りることになる。
【産業上の利用可能性】
【００８６】
本発明に係る構築用丁張装置によれば、丁張材保持部材を設置すべき位置にある縁石、地盤もしくはコンクリート基礎に設置脚体を設置することで、この縁石、地盤もしくはコンクリート基礎上に丁張材保持部材を設置することができ、従来の構築用丁張装置の縁石、地盤もしくはコンクリート基礎への設置に要する多くの部材が省略できるし、また、短い作業時間で構築用丁張装置を縁石、地盤もしくはコンクリート基礎に設置することができるという効果を有しており、構造物の表面位置を規定する線状の丁張材を保持する構築用丁張装置として有用である。
【図面の簡単な説明】
【００８７】
【図１】本発明の実施の形態１に係る構築用丁張装置の前面図である。
【図２】同構築用丁張装置の平面図である。
【図３】同構築用丁張装置の側面図である。
【図４】同構築用丁張装置を縁石に設置し丁張材保持部材を左方に位置調整した状態の前面から見た斜視図である。
【図５】同構築用丁張装置において丁張材保持部材を右方に位置調整した状態の前面から見た斜視図である。
【図６】同構築用丁張装置において丁張材保持部材を前方に位置調整した状態の側面から見た斜視図である。
【図７】同構築用丁張装置において丁張材保持部材を後方に位置調整した状態の側面から見た斜視図である。
【図８】同構築用丁張装置をコーナーに設置した状態で丁張を架設した状態の斜視図である。
【図９】本発明の実施の形態２に係る構築用丁張装置の平面図である。
【図１０】同構築用丁張装置の後面図である。
【図１１】同構築用丁張装置の側面図である。
【図１２】同構築用丁張装置を地盤に設置し丁張材保持部材を右方に位置調整した状態の前面から見た斜視図である。
【図１３】同構築用丁張装置において丁張材保持部材を左方に位置調整した状態の前面から見た斜視図である。
【図１４】同構築用丁張装置をコーナーに設置した状態で丁張を架設した状態の斜視図である。
【図１５】従来の構築用丁張装置の説明図である。
【図１６】従来の別の構築用丁張装置の説明図である。
【符号の説明】
【００８８】
１０      縁石用設置脚体
１１      ベース
１１Ａ    面部
１１Ｂ    屈曲部
１２      ベース固定機構
２０      回転支軸機構（保持部材支持手段）
２１      軸受部材
２２      回転支軸
２３      アーム部材
２４      支持軸
２５      回転支軸ロック機構（回転支軸ロック手段）
３０      支持機構（保持部材支持手段）
３１      基側支持部材
３２      基側支持部材ロック機構（基側支持部材ロック手段）
３６      支持用ボルト
１０−１  設置脚体
５０      ベースプレート
５１      アーム部材
５２      アーム部材
５３      支軸機構
５６      アンカー保持部
５７      踏み板
５７Ａ    釘孔
５８      アンカー
５９      アンカーロック機構（アンカーロック手段）
７０      丁張材保持部材
７１      丁張材
Ｇ        縁石
Ｊ        敷地
Ｋ        既設塀
Ｋ−１    端面
Ｐ        丁張材保持部材把持部
Ｓ        境界線
Ｔ        構築用丁張装置
Ｔ−１    構築用丁張装置
Ｕ        境界線
【図１】
2006291596.tif 000003
【図２】
2006291596.tif 000004
【図３】
2006291596.tif 000005
【図４】
2006291596.tif 000006
【図５】
2006291596.tif 000007
【図６】
2006291596.tif 000008
【図７】
2006291596.tif 000009
【図８】
2006291596.tif 000010
【図９】
2006291596.tif 000011
【図１０】
2006291596.tif 000012
【図１１】
2006291596.tif 000013
【図１２】
2006291596.tif 000014
【図１３】
2006291596.tif 000015
【図１４】
2006291596.tif 000016
【図１５】
2006291596.tif 000017
【図１６】
2006291596.tif 000018